(57)【要約】      （修正有）【課題】幼児が始めて着用する靴であっても、よちよち歩きの足の動きに応じて容易に変形すると共に、靴の中で足ががたつかず、安定して締め付けると同時に、抜け難い構成の幼児用靴を提供する。【解決手段】靴を足に固定するバンド部材を、足の甲部分を固定する第一のバンド部材２と、足首部分を固定する第二のバンド部材３とで構成すると共に、足指の付け根部分またはその近傍付近に複数の長穴状スリットを足の幅方向に備えて屈曲容易な強化厚紙を用いると共に、弾力を有する均一な面状の中敷を装着する構成の幼児用靴Ｋとした。【選択図】図１
0003109042.tif 000002
【実用新案登録請求の範囲】
【請求項１】
靴の履き口部に左右の側部を有し、該左右の側部を結束して足に固定するバンド部材を備える幼児用靴であって、
前記バンド部材を、一方の側部の甲部分に一端を固定されていると共に、他方の側部の甲部分に装着される折り返し部材を挿通して、前記一方の側部の足首部分に位置するバンド固定部に固定され、足の甲部分を固定する第一のバンド部材と、
前記一方の側部の足首部分に一端を固定されていると共に、他方の側部の足首部分に位置するバンド固定部に固定され、足首部分を固定する第二のバンド部材とで構成したことを特徴とする幼児用靴。
【請求項２】
前記第一および第二のバンド部材が共にマジックバンド式留め具であることを特徴とする請求項１に記載の幼児用靴。
【請求項３】
強化厚紙に靴革を被覆した靴底部を備えていると共に、前記強化厚紙の足指の付け根部分またはその近傍付近に相当する位置に、複数の長穴状スリットを足の幅方向に設けて屈曲容易な構成としたことを特徴とする請求項１または２に記載の幼児用靴。
【請求項４】
前記複数の長穴状スリットを前記強化厚紙の周縁部両端を残した長穴状に打ち抜いた形状としていることを特徴とする請求項３に記載の幼児用靴。
【請求項５】
前記複数の長穴状スリットを、長さの長いスリットと長さの短いスリットとを交互に配列して設けたことを特徴とする請求項３または４に記載の幼児用靴。
【請求項６】
前記強化厚紙に靴革を被覆した構成の靴底部に弾力を有する均一な面状の中敷を装着したことを特徴とする請求項３から５のいずれかに記載の幼児用靴。
【考案の詳細な説明】
【技術分野】
【０００１】
本考案は、幼児用靴に関し、特に歩き始め等に幼児が始めて着用するのに好適な幼児用靴に関するものである。
【背景技術】
【０００２】
従来、幼児用靴としては、足の保護のために割合に上部な革材料が用いられている。また、装着し易くするためにマジックバンド式の固定具が多く採用されている。
【０００３】
しかし、乳幼児が始めて靴を装着する場合には、力の弱い幼児でも足を動かし易い構造であることが要求され、さらに、よちよち歩きの状態でも簡単には脱げないことも要求される。
【０００４】
そのために、靴の内部に配置する中敷に剛性が劣る屈曲部を形成した幼児用靴中敷および幼児用靴が既に出願されている（例えば特許文献１参照）。
【０００５】
また、バランス良く締め付けて安定性をよくするために、互いに交叉するバンド式の固定具を用いて固定するとした靴も既に出願されている（例えば、特許文献２参照）。
【特許文献１】特開２００３−９９０２号公報（第１−８頁、第３図）
【特許文献２】登録実用第３０４７８４１号公報（第１−８頁、第１図）
【考案の開示】
【考案が解決しようとする課題】
【０００６】
幼児が初めて靴を着用する際には、足の動きに応じて靴が容易に変形することと、さらに抜け難いことが必要である。また、幼児の足を保護するためには、そこそこに厚みのある上部な革材料や合成樹脂材料で構成することが必要である。
【０００７】
また、強化厚紙に靴革を被覆した構成の靴を製造する際にも、幼児の足の動きに応じて靴が容易に変形することが望まれる。
【０００８】
さらに、幼児の足に靴を安定して締め付けるだけでなく、さらに脱げ難くすることも大事である。
【０００９】
本考案の目的は、幼児が始めて着用する靴であっても、よちよち歩きの足の動きに応じて容易に変形すると共に、靴の中で足ががたつかず、安定して締め付けると同時に、抜け難い構成の幼児用靴を提供することである。
【課題を解決するための手段】
【００１０】
上記の目的を達成するために請求項１に係る考案は、靴の履き口部に左右の側部を有し、該左右の側部を結束して足に固定するバンド部材を備える幼児用靴であって、前記バンド部材を、一方の側部の甲部分に一端を固定されていると共に、他方の側部の甲部分に装着される折り返し部材を挿通して、前記一方の側部の足首部分に位置するバンド固定部に固定され、足の甲部分を固定する第一のバンド部材と、前記一方の側部の足首部分に一端を固定されていると共に、他方の側部の足首部分に位置するバンド固定部に固定され、足首部分を固定する第二のバンド部材とで構成したことを特徴としている。
【００１１】
上記の構成を有する請求項１に係る考案によれば、足の大きさに応じて足甲を確実に固定すると共に、足首を固定することで抜け難い靴とすることができる。
【００１２】
請求項２に係る考案は、前記第一および第二のバンド部材が共にマジックバンド式留め具であることを特徴としている。
【００１３】
上記の構成を有する請求項２に係る考案によれば、足の大きさに応じて適当な締め加減でバンドを容易に固定することができる。
【００１４】
請求項３に係る考案は、強化厚紙に靴革を被覆した靴底部を備えていると共に、前記強化厚紙の足指の付け根部分またはその近傍付近に相当する位置に、複数の長穴状スリットを足の幅方向に設けて屈曲容易な構成としたことを特徴としている。
【００１５】
上記の構成を有する請求項３に係る考案によれば、歩行の際に、足の動きに応じて足指の付け根部分から容易に足裏を屈曲させることができる。
【００１６】
請求項４に係る考案は、前記複数の長穴状スリットを前記強化厚紙の周縁部両端を残した長穴状に打ち抜いた形状としていることを特徴としている。
【００１７】
上記の構成を有する請求項４に係る考案によれば、強化厚紙としての強度を維持することができる。
【００１８】
請求項５に係る考案は、前記複数の長穴状スリットを、長さの長いスリットと長さの短いスリットとを交互に配列して設けたことを特徴としている。
【００１９】
上記の構成を有する請求項５に係る考案によれば、屈曲容易さと強化厚紙としての強度を適当な程度に調整することができる。
【００２０】
請求項６に係る考案は、前記強化厚紙に靴革を被覆した構成の靴底部に弾力を有する均一な面状の中敷を装着したことを特徴としている。
【００２１】
上記の構成を有する請求項６に係る考案によれば、強化厚紙に複数の長穴状スリットを設けた構成であっても、足裏に接する中敷が弾力を有する均一な面状をしているので、履き心地は快適となる。
【考案の効果】
【００２２】
本考案によれば、靴を足に固定するバンド部材を、足の甲部分を固定する第一のバンド部材と、足首部分を固定する第二のバンド部材とで構成すると共に、屈曲容易な強化厚紙を用いた幼児用靴としているので、歩き始めの幼児が着用しても、歩き易く、また、抜け難い幼児用靴とすることができる。
【考案を実施するための最良の形態】
【００２３】
以下、本考案に係る幼児用靴の実施の形態について、図面に基づいて詳細に説明する。
【００２４】
図１は本考案に係る幼児用靴を示しており、（ａ）は斜視図であり、（ｂ）は側面図である。図２には左右一対の幼児用靴の平面図を示している。図３には靴の断面図を示し、図４には強化厚紙の平面図を示している。
【００２５】
図１（ａ）に示す幼児用靴Ｋの靴本体１は、足甲部１ａと左右の側部１ｂ、１ｃを備えており、この左右の側部１ｂ、１ｃにより履き口部１ｄが形成されている。また、前記左右の側部１ｂ、１ｃを結束して足に固定するために、足の甲部分を固定する第一のバンド部材２と、足首部分を固定する第二のバンド部材３とを備える構成としている。
【００２６】
前記第一のバンド部材２と第二のバンド部材３とは、いずれも一方の端部を同じ方向の側部に固着されている。例えば図１（ｂ）に示すように、共に側部１ｃ側に固着されており、第一のバンド部材２は固着部２ａを、第二のバンド部材３は固着部３ａを共に側部１ｃに配設している。
【００２７】
側部１ｃ側に一端を固着されている前記第一のバンド部材２は、その自由端２ｂを他方の側部１ｂの甲部分に装着されるリング状の折り返し部材４に挿通して、前記側部１ｃの足首部分に位置するバンド固定部６に固定される。つまり、この第一のバンド部材２は足甲部分をＶ字状に往復して締め付ける結束バンドとなる。また、この第一のバンド部材２をマジックバンド式留め具とすることで、結束部の開閉を容易に行うことができると共に、種々の足の大きさに対応して容易に装着し締め付けて固定可能な幼児用靴とすることができる。
【００２８】
足首部分を固定するための第二のバンド部材３は、固着部３ａを介して側部１ｃに固着されており、その自由端３ｂが他方の側部１ｂの足首部に配設される固定部５にて固定される構成である。つまり、この第二のバンド部材３は、足首部の左右の側部を連結して結束するバンドであり、履き口部１ｄから足を挿入して、前記第二のバンド部材３の自由端３ｂを引っ張って、他方の側部１ｂの固定部５に固定することで、幼児用靴Ｋを足首にしっかりと固定することができる。
【００２９】
幼児用靴Ｋを足首に固定することで、ヨチヨチ歩きの幼児であっても、前記靴Ｋは抜け難い状態となり、靴が抜けて足を傷めることもなく、安全性を高めることができ好適である。さらに、このバンド部材をマジックバンド式留め具とすることで、結束部の開閉を容易に行うことができると共に、種々の足の大きさに対応して容易に装着し締め付けて固定可能な幼児用靴とすることができる。
【００３０】
また、第一のバンド部材２のバンド固定部６は、側部１ｃの足首付近に設ける構成とすればよいが、第二のバンド部材３の固着部３ａの上側に設ける構成とすれば、側部１ｃに新たな固定部を設ける必要もなく、靴の外観もすっきりと綺麗となり好適である。
【００３１】
図２に左右一対の靴を示すが、右足用靴１Ａの第一のバンド部材２Ａは、足の外側部に一端が固着されており、足の内側に設けられるリング状の折り返し部材４Ａを挿通して再度足の外側の足首部に位置する固定部にて固定する構成である。また、左足右足用靴１Ｂの第一のバンド部材２Ｂは、同様に足の外側部に一端が固着されており、足の内側に設けられるリング状の折り返し部材４Ｂを挿通して再度足の外側の足首部に位置する固定部にて固定されている。
【００３２】
つまり、いずれの靴も、それぞれの第一のバンド部材の自由端を足の外側方向に引っ張るようにして固定する構成としている。そのために、足甲にきつくぴったりと固定することが容易となり好適である。
【００３３】
次に図３および図４により、強化厚紙を有する靴の内部構造について説明する。図３の靴の断面図に示すように、本実施の形態の幼児用靴Ｋは、靴革１０を強化厚紙１１に被覆した構成の靴底部に、靴本体１を連結したものである。さらに、靴内部には弾力を有する均一な面状の中敷１２を装着している。
【００３４】
そのために、硬い強化厚紙を備える靴底であっても、足裏部には弾力を有する面一な中敷１２が接触することになり、履き心地が良好となる。
【００３５】
前記強化厚紙１１に靴革１０を被覆する際には、図３（ｂ）に示すように、強化厚紙１１よりも大きな面積の靴革１０とし、この靴革１０の外周縁部１０Ａを折込んで、前記強化厚紙１１の外周部に重ねあわせるようにして被覆している。また、前記強化厚紙１１は靴を着用する幼児の足型に対応した形状とされている。そのために、この強化厚紙１１と靴革１０とで、幼児の足型に対応すると共に、強度に優れた靴底部を構成することができる。
【００３６】
しかし、靴底部が硬くて強度に優れていると、足の裏が傷付くこともなく安全とはなるが、歩行の際に屈曲しないので歩き難い状態となる。特に歩き始めの幼児などの場合は、足の力も弱く、歩行練習には不適である。
【００３７】
そのために、本実施の形態では、前記強化厚紙１１に複数の長穴状スリットを設けて屈曲容易な構成とした。その例を図４に示す。
【００３８】
図４（ａ）には強化厚紙１１にほぼ等しい長さの長穴状スリット１３ａ、１３ｂ、１３ｃ、１３ｄを足の幅方向に設けた例を示し、図４（ｂ）には、長さの長い長穴状スリット１４ａ、１４ｂ、１４ｃと長さの短い長穴状スリット１５ａ、１５ｂとを交互に配列して設けた例を示している。
【００３９】
いずれの場合も、前記複数の長穴状スリットを足指の付け根部分またはその近傍付近の足の幅方向に設けると共に、前記強化厚紙１１の周縁部の両端を残した長穴状に打ち抜いた形状としている。これは、人が歩く際には、足指部分を地面につけて踵部分を持ち上げた時に、足指の付け根部分またはその近傍付近が屈曲するので、その屈曲する部分の剛性を低くすると共に、屈曲し易い形状の強化厚紙とするためである。
【００４０】
また、強化厚紙１１の周縁部両端を残すのは、靴底部の強度を維持するためであって、上記の構成とすることで、靴底部の強度を維持すると共に、足の動きに応じて容易に屈曲可能な幼児用靴とすることができる。
【００４１】
長さの長い長穴状スリットと長さの短い長穴状スリットとを交互に配列して設けた構成では、靴底部の強度をさらに安定して維持可能であると共に、所望される屈曲容易さと靴底部の強度に応じたそれぞれの長穴状スリットの長さに調整することができ、好適である。
【００４２】
特に、歩き始めの幼児の足は、柔らかくて非力であるので、足を保護するためにはある程度の靴底強度が必要である。そのために、本実施の形態のように強化厚紙１１の周縁部両端を残しながら、複数の長穴状スリットを足の幅方向に設けて屈曲性を付与する構成が好適といえる。
【００４３】
上記したように本考案によれば、靴を足に固定するバンド部材を、足の甲部分を固定する第一のバンド部材と、足首部分を固定する第二のバンド部材とで構成すると共に、屈曲容易な強化厚紙を用いた幼児用靴とし、さらに、弾力を有する均一な面状の中敷を装着しているので、歩き始めの幼児が着用しても、歩き易く、また、抜け難い幼児用靴とすることができる。
【図面の簡単な説明】
【００４４】
【図１】本考案に係る幼児用靴を示し、（ａ）は斜視図であり、（ｂ）は側面図である。
【図２】左右一対の幼児用靴を示す平面図である。
【図３】靴の内部構成を示し、（ａ）は側断面図であり、（ｂ）は強化厚紙の平面図である。
【図４】強化厚紙に設ける複数の長穴を示し、（ａ）はほぼ等しい長さの長穴を複数設けた例を示す平面図であり、（ｂ）は長さの長い長穴と長さの短い長穴とを交互に配列して設けた例を示す平面図である。
【符号の説明】
【００４５】
１  靴本体
２  第一のバンド部材
２ａ  固着部
３  第二のバンド部材
３ａ  固着部
４  折り返し部材
１０  靴革
１１  強化厚紙
１２  中敷
Ｋ  幼児用靴
【図１】
0003109042.tif 000003
【図２】
0003109042.tif 000004
【図３】
0003109042.tif 000005
【図４】
0003109042.tif 000006
【手続補正書】
【提出日】平成16年11月16日(2004.11.16)
【手続補正１】
【補正対象書類名】実用新案登録請求の範囲
【補正対象項目名】請求項２
【補正方法】変更
【補正の内容】
【請求項２】
前記第一および第二のバンド部材が共に着脱自在な面ファスナ式留め具であることを特徴とする請求項１に記載の幼児用靴。
【手続補正２】
【補正対象書類名】明細書
【補正対象項目名】０００２
【補正方法】変更
【補正の内容】
【０００２】
従来、幼児用靴としては、足の保護のために割合に丈夫な革材料が用いられている。また、装着し易くするために着脱自在な面ファスナ式の固定具が多く採用されている。
【手続補正３】
【補正対象書類名】明細書
【補正対象項目名】００１２
【補正方法】変更
【補正の内容】
【００１２】
請求項２に係る考案は、前記第一および第二のバンド部材が共に着脱自在な面ファスナ式留め具であることを特徴としている。
【手続補正４】
【補正対象書類名】明細書
【補正対象項目名】００１３
【補正方法】変更
【補正の内容】
【００１３】
上記の構成を有する請求項２に係る考案によれば、足の大きさに応じて適当な締め加減で着脱自在な面ファスナ式のバンドを容易に固定することができる。
【手続補正５】
【補正対象書類名】明細書
【補正対象項目名】００２７
【補正方法】変更
【補正の内容】
【００２７】
側部１ｃ側に一端を固着されている前記第一のバンド部材２は、その自由端２ｂを他方の側部１ｂの甲部分に装着されるリング状の折り返し部材４に挿通して、前記側部１ｃの足首部分に位置するバンド固定部６に固定される。つまり、この第一のバンド部材２は足甲部分をＶ字状に往復して締め付ける結束バンドとなる。また、この第一のバンド部材２を面ファスナ式留め具とすることで、結束部の開閉を容易に行うことができると共に、種々の足の大きさに対応して容易に装着し締め付けて固定可能な幼児用靴とすることができる。
【手続補正６】
【補正対象書類名】明細書
【補正対象項目名】００２９
【補正方法】変更
【補正の内容】
【００２９】
幼児用靴Ｋを足首に固定することで、ヨチヨチ歩きの幼児であっても、前記靴Ｋは抜け難い状態となり、靴が抜けて足を傷めることもなく、安全性を高めることができ好適である。さらに、このバンド部材を面ファスナ式留め具とすることで、結束部の開閉を容易に行うことができると共に、種々の足の大きさに対応して容易に装着し締め付けて固定可能な幼児用靴とすることができる。